(57)【特許請求の範囲】
【請求項１】
モルタル湿式壁に塗設されたモルタルと、サッシ枠等の壁取付け部材との取り合い部分に、シーリング目地部を形成するためのモルタル湿式壁の目地部施工構造であって、
前記取り合い部分に、前記壁取付け部材の側面部に沿って、前記モルタルの塗設端面と前記壁取付け部材の側面部との間に目地間隔を保持する目地役物を取り付けた後に、前記モルタルを塗設することによって構成され、
前記目地役物は、前記モルタルの塗設端面に沿って配置される端面仕切り片と、該端面仕切り片から垂直又は略垂直に突出して、突出先端部を前記壁取付け部材の側面部に当接させて配置されるスペーサ片とを備えると共に、前記端面仕切り片は、前記スペーサ片との接合基端部分において、易折れ線を介して折り離し可能となっており、
前記端面仕切り片まで塗設された前記モルタルが硬化した後に、前記易折れ線を介して前記端面仕切り片の前記易折れ線よりも外側部分を折り離すことで、前記モルタルと前記壁取付け部材との前記取り合い部分に、シーリング材が取り付けられる前記シーリング目地部が形成されるモルタル湿式壁の目地部施工構造。
【請求項２】
前記端面仕切り片は、これの先端を前記モルタルの塗厚表面の高さ位置に合わせて設置され、前記端面仕切り片を塗厚定木として、前記モルタルが塗設される請求項１記載のモルタル湿式壁の目地部施工構造。
【請求項３】
前記スペーサ片の外側表面は、前記シーリング材と接着しないか又は接着しずらい樹脂材料によって形成されていることで、ボンドブレーカーとして機能する請求項１又は２記載のモルタル湿式壁の目地部施工構造。
【請求項４】
前記スペーサ片は、前記端面仕切り片の高さ方向中間部分からから垂直又は略垂直に突出して設けられていることで、前記シーリング材の厚さを調整するためのバックアップ材として機能する請求項１〜３のいずれか１項記載のモルタル湿式壁の目地部施工構造。
【請求項５】
前記端面仕切り片の内側端部から垂直又は略垂直に突出して設けられた底部接着片を備えており、該底部接着片を接着させて、前記取り合い部分に前記目地役物が設置される請求項１〜４のいずれか１項記載のモルタル湿式壁の目地部施工構造。
【請求項６】
請求項１〜５のいずれか１項記載のモルタル湿式壁の目地部施工構造に用いる目地役物であって、
前記モルタルの塗設端面に沿って配置される端面仕切り片と、該端面仕切り片の高さ方向中間部分から垂直又は略垂直に突出して設けられたスペーサ片と、前記端面仕切り片の一端部から垂直又は略垂直に突出して設けられた底部接着片とを備えており、前記端面仕切り片は、前記スペーサ片との接合基端部分において、易折れ線を介して折り離し可能となっている目地役物。
【発明の詳細な説明】
【技術分野】
【０００１】
本発明は、モルタル湿式壁に塗設されるモルタルと、サッシ枠等の壁取付け部材との取り合い部分に、シーリング目地部を形成するためのモルタル湿式壁の目地部施工構造及び目地役物に関する。
【背景技術】
【０００２】
モルタル湿式壁は、壁下地材の表面に、必要に応じて防水シートやラス網等を適宜取り付けた後に、壁下地材を覆って１０〜３０ｍｍ程度の塗厚でモルタルを塗設して硬化させることにより、硬化したモルタルによって表面仕上げ層が形成された壁体であり、建物の外壁や仕切り壁等として用いられている。
【０００３】
モルタル湿式壁には、例えば窓用や出入り口用の開口部や、各種の部材取付け用の開口部が設けられることが多く、これらの開口部の周縁部から壁面の外側に突出して、サッシ枠、建具枠、部材取付枠等の壁取付け部材が設置される場合がある。また、これらの壁取付け部材と塗設されたモルタルとの取り合わせ部分には、シーリング目地部を形成して、シーリング材（コーキング材）を取り付けることで、これらの取り合い部分における十分なシール性を確保すると共に、強固な水密性や気密性を保持できるようにする必要を生じる場合がある（例えば、特許文献１参照）。
【０００４】
そして、壁下地材の表面に塗設されるモルタルと、サッシ枠等の壁取付け部材との取り合い部分にシーリング目地部を形成する一般な方法として、モルタルを塗設するのに先立って、シーリング目地部の所定の断面形状と同様の断面形状を有する目地棒を、壁取付け部材の側面部に沿って箱抜き部材として取り付けておき、モルタルを塗設して硬化させた後に、目地棒を取り除くことで、シーリング目地部を形成する方法が採用されている（図４参照）。
【先行技術文献】
【特許文献】
【０００５】
【特許文献１】特開２００４−２３２４３０号公報
【発明の概要】
【発明が解決しようとする課題】
【０００６】
しかしながら、上記従来の目地棒を箱抜き部材として用いてシーリング目地部を形成する方法によれば、取り付けた目地棒を取り除く際に、これの周囲の硬化したモルタルを、特に角部分において壊してしまう場合があり、壊れたモルタルの補修作業に多くの手間と時間を要することになる。
【０００７】
本発明は、硬化したモルタルを壊すことなく、塗設されたモルタルとサッシ枠等の壁取付け部材との取り合い部分に、簡易な構成によってシーリング目地部を容易に形成することのできるモルタル湿式壁の目地部施工構造及び目地役物を提供することを目的する。
【課題を解決するための手段】
【０００８】
本発明は、モルタル湿式壁に塗設されたモルタルと、サッシ枠等の壁取付け部材との取り合い部分に、シーリング目地部を形成するためのモルタル湿式壁の目地部施工構造であって、前記取り合い部分に、前記壁取付け部材の側面部に沿って、前記モルタルの塗設端面と前記壁取付け部材の側面部との間に目地間隔を保持する目地役物を取り付けた後に、前記モルタルを塗設することによって構成され、前記目地役物は、前記モルタルの塗設端面に沿って配置される端面仕切り片と、該端面仕切り片から垂直又は略垂直に突出して、突出先端部を前記壁取付け部材の側面部に当接させて配置されるスペーサ片とを備えると共に、前記端面仕切り片は、前記スペーサ片との接合基端部分において、易折れ線を介して折り離し可能となっており、前記端面仕切り片まで塗設された前記モルタルが硬化した後に、前記易折れ線を介して前記端面仕切り片の前記易折れ線よりも外側部分を折り離すことで、前記モルタルと前記壁取付け部材との前記取り合い部分に、シーリング材が取り付けられる前記シーリング目地部が形成されるモルタル湿式壁の目地部施工構造を提供することにより、上記目的を達成したものである。
【０００９】
そして、本発明のモルタル湿式壁の目地部施工構造は、前記端面仕切り片が、これの先端を前記モルタルの塗厚表面の高さ位置に合わせて設置され、前記端面仕切り片を塗厚定木として、前記モルタルが塗設されるようになっていることが好ましい。
【００１０】
また、本発明のモルタル湿式壁の目地部施工構造は、前記スペーサ片の外側表面が、前記シーリング材と接着しないか又は接着しずらい樹脂材料によって形成されていることで、ボンドブレーカーとして機能するようになっていることが好ましい。
【００１１】
さらに、本発明のモルタル湿式壁の目地部施工構造は、前記スペーサ片が、前記端面仕切り片の高さ方向中間部分からから垂直又は略垂直に突出して設けられていることで、前記シーリング材の厚さを調整するためのバックアップ材として機能するようになっていることが好ましい。
【００１２】
さらにまた、本発明のモルタル湿式壁の目地部施工構造は、前記端面仕切り片の内側端部から垂直又は略垂直に突出して設けられた底部接着片を備えており、該底部接着片を接着させて、前記取り合い部分に前記目地役物が設置されるようになっていることが好ましい。
【００１３】
また、本発明は、上記モルタル湿式壁の目地部施工構造に用いる目地役物であって、前記モルタルの塗設端面に沿って配置される端面仕切り片と、該端面仕切り片の高さ方向中間部分から垂直又は略垂直に突出して設けられたスペーサ片と、前記端面仕切り片の一端部から垂直又は略垂直に突出して設けられた底部接着片とを備えており、前記端面仕切り片は、前記スペーサ片との接合基端部分において、易折れ線を介して折り離し可能となっている目地役物を提供することにより、上記目的を達成したものである。
【発明の効果】
【００１４】
本発明のモルタル湿式壁の目地部施工構造又は目地役物によれば、硬化したモルタルを壊すことなく、塗設されたモルタルとサッシ枠等の壁取付け部材との取り合い部分に、簡易な構成によってシーリング目地部を容易に形成することができる。
【図面の簡単な説明】
【００１５】
【図１】本発明の好ましい一実施形態に係るモルタル湿式壁の目地部施工構造を説明する、端面仕切り片の外側部分を折り離す前の状態の断面図である。
【図２】本発明の好ましい一実施形態に係るモルタル湿式壁の目地部施工構造を説明する、端面仕切り片の外側部分を折り離す状態の断面図である。
【図３】本発明の好ましい一実施形態に係るモルタル湿式壁の目地部施工構造を説明する、形成されたシーリング目地部にシーリング材を取り付けた状態の断面図である。
【図４】シーリング目地部を形成する従来の方法を説明する断面図である。
【発明を実施するための形態】
【００１６】
図１〜図３に示す本発明の好ましい一実施形態に係るモルタル湿式壁の目地部施工構造１０は、例えば木造住宅建築物において、外壁を構成するモルタル湿式壁３０に設置された窓用のサッシ枠１１を壁取付け部材として、このサッシ枠１１と塗設されたモルタル１２との取り合い部分２０に、シーリング材１３が取り付けられるシーリング目地部１４（図３参照）を、簡易な構成によって、良好な周囲の仕上げ精度を保持した状態で容易に形成できるようにする施工構造として採用されたものである。
【００１７】
すなわち、本実施形態の目地部施工構造１０は、従来の、モルタル湿式壁に塗設されたモルタルとサッシ枠との取り合い部分にシーリング目地部を形成するための方法では、例えば図４に示すように、モルタル５０を塗設するのに先立って、シーリング目地部５１と同様の断面形状を有する目地棒５２を、サッシ枠（壁取付け部材）５３の側面部５３ａに沿って取り付けておき、モルタル５０を塗設して硬化させた後に、目地棒５２を取り除くことでシーリング目地部５１を形成するようになっていたが、このような方法では、目地棒５２を取り除く際に、硬化したモルタル５０の特に角部分５０ａが壊され易く、仕上げ精度の良好なシーリング目地部５１を形成できなくなると共に、補修作業に多くの手間と時間を要することになるといった技術的課題があったことを鑑みてなされたものである。
【００１８】
そして、本実施形態のモルタル湿式壁の目地部施工構造１０は、図１に示すように、モルタル湿式壁３０に塗設されたモルタル１２と、サッシ枠（壁取付け部材）１１との取り合い部分２０に、シーリング目地部１４（図３参照）を形成するためのモルタル湿式壁の施工構造であって、モルタル１２とサッシ枠１１との取り合い部分２０に、サッシ枠１１の側面部１１ａに沿って、モルタル１２の塗設端面とサッシ枠１１の側面部１１ａとの間に目地間隔を保持する目地役物１５を取り付けた後に、モルタル１２を塗設することによって構成される。目地役物１５は、モルタル１２の塗設端面に沿って配置される端面仕切り片１６と、この端面仕切り片１６から垂直又は略垂直に突出して、突出先端部をサッシ枠１１の側面部１１ａに当接させて配置されるスペーサ片１７とを備えると共に、端面仕切り片１６は、スペーサ片１７との接合基端部分において、易折れ線１８を介して折り離し可能となっている。端面仕切り片１６まで塗設されたモルタル１２が硬化した後に、図２に示すように、易折れ線１８を介して端面仕切り片１６の易折れ線１８よりも外側部分１６ａを折り離すことで、モルタル１２とサッシ枠１１との取り合い部分２０に、シーリング材１３（図３桟方）が取り付けられるシーリング目地部１４が形成されるようになっている。
【００１９】
また、本実施形態では、端面仕切り片１６の内側端部から、スペーサ片１７とは反対側に垂直又は略垂直にＬ字形状に突出して設けられた底部接着片１９を備えており、この底部接着片１９を、例えば壁下地材２１の表面に沿って配置されるサッシ枠１１の張出し接合片１１ｂに接着させて、モルタル１２とサッシ枠１１との取り合い部分２０に目地役物１５が設置されるようになっている。
【００２０】
本実施形態では、モルタル湿式壁３０は、木造住宅建築物の外壁を構成するようになっており、例えば縦枠や横枠、合板等による壁下地材２１の外側の表面に、防水シート２２やラス網２３等を適宜取り付けた後に、これらを覆って１０〜３０ｍｍ程度の塗厚でモルタル１２を表面仕上げ層として塗設すると共に、塗設したモルタル１２を硬化させることによって形成される。また、壁下地材２１には、矩形形状の窓用開口が設けられており、この窓用開口に嵌め込むようにして、窓用のサッシ枠１１が、これの張出し接合片１１ｂを窓用開口の周囲の壁下地材２１に接合固定することによって取り付けられる。
【００２１】
窓用のサッシ枠１１は、例えばアルミサッシからなる公知のもので、工場等において所定の形状となるように予め加工形成される。サッシ枠１１は、窓用開口に嵌め込むことが可能な矩形枠形状を備えており、上述のように、これの張出し接合片１１ｂを窓用開口の周囲の壁下地材２１に接合固定することによって、これの外側部分を、窓用開口の周縁部からモルタル湿式壁３０による外壁面から突出させた状態で取り付けられる。サッシ枠１１の内側には、例えば窓ガラスが、開閉可能に配設される。サッシ枠１１の側面部１１ａには、壁下地材２１の表面にモルタル１２を塗設する作業に先立って、当該側面部１１ａに沿って、目地役物１５が、これの全周に亘って連続して取り付けられる。
【００２２】
本実施形態では、目地役物１５は、例えば塩化ビ二ル、ポリスチレン、ポリプロピレン等の合成樹脂を用いて、直線状に加工形成された棒状の成形品である。目地役物１５は、モルタル１２とサッシ枠１１との取り合い部分２０に設置された際に、モルタル１２の塗設端面に沿って配置される端面仕切り片１６と、この端面仕切り片１６の高さ方向中間部分から垂直又は略垂直に突出して設けられたスペーサ片１７と、端面仕切り片１６の一端部からスペーサ片１７とは反対側に垂直又は略垂直に突出して設けられた底部接着片１９とを備えており、端面仕切り片１６は、スペーサ片１７との接合基端部分において、易折れ線１９を介して折り離し可能となっている。
【００２３】
ここで、端面仕切り片１６を、スペーサ片１７との接合基端部分において折り離し可能とする易折れ線１９は、例えば当該接合基端部分に沿って切り込みを形成することで薄肉線とすること等によって、容易に設けることができる。
【００２４】
そして、本実施形態では、目地役物１５は、例えば底部接着片１９の底面部を、接着剤や接着テープ等を用いて、窓用開口の周囲の壁下地材２１に接合固定されたサッシ枠１１の張出し接合片１１ｂの外側面に接着固定することによって、モルタル１２とサッシ枠１１との取り合い部分２０に容易に取り付けることができる。これによって、目地役物１５は、壁下地材２１の表面及び張出し接合片１１ｂに対して、端面仕切り片１６を垂直又は略垂直に立設させると共に、スペーサ片１７の突出先端部をサッシ枠１１の側面部１１ａに当接させた状態で、サッシ枠１１の側面部１１ａに沿って、これの全周に亘って設置されることになる。
【００２５】
また、本実施形態では、目地役物１５の端面仕切り片１６は、目地役物１５がサッシ枠１１の側面部１１ａに沿って取り付けられた際に、これの外側の先端をモルタル１２の塗厚表面の高さ位置に合わせて設置されるように設定されている。これによって、端面仕切り片１６を塗厚定木として用いることが可能になり、端面仕切り片１６をガイドとして、目地役物１５の周囲のモルタル１２を、これの表面が端面仕切り片１６の先端の高さとなるように仕上げることで、モルタル１２の塗厚を精度良く管理することが可能になる。
【００２６】
さらに、本実施形態では、目地役物１５のスペーサ片１７は、これの外側表面が、シーリング材１３と接着しないか又は接着しずらい樹脂材料によって形成されている。これによって、スペーサ片１７を、シーリング材１３の底部においてシーリング材１３の変形を妨げないボンドブレーカーとして機能させることが可能になると共に、シーリング材１３の両側面１３ａのみをシーリング目地部１４の内側に接着させ、残る一面（底面）をフリー面とした２面接着とすることで（図３参照）、シーリング材１３を動き易くして、シーリング目地部１４に取り付けられたシーリング材１３を収縮に対して強くすることが可能になる。またこのような２面接着によって、シーリング材１３によるシーリングの品質を向上させて、安定したシーリング性能を確保することが可能になる。
【００２７】
ここで、スペーサ片１７の外側表面は、スペーサ片１７を、シーリング材１３と接着しないか又は接着しずらい樹脂材料によって形成したり、当該外側表面に、シーリング材１３と接着しないか又は接着しずらいシート状の樹脂材料を貼り付けたり、シーリング材１３と接着しないか又は接着しずらい樹脂材料を塗布したりすること等によって、シーリング材１３と接着しないか又は接着しずらい状態とすることができる。
【００２８】
さらにまた、本実施形態では、スペーサ片１７は、端面仕切り片１６の高さ方向中間部分から垂直又は略垂直に突出して設けられている。これによって、スペーサ片１７を、形成されるシーリング目地部１４の底部を嵩上げするバックアップ材として機能させることが可能になると共に、シーリング材１３の厚さを調整可能として、シーリング材１３の充填を確実なものとすることが可能になる。ここで、端面仕切り片１６から突出させるスペーサ片１７の高さ位置は、シーリング材１３の種類や止水性能等を鑑みて、適宜設定することができる。
【００２９】
そして、本実施形態では、目地役物１５をサッシ枠１１の側面部１１ａに沿って全周に亘って取り付けた後に、上述のように、壁下地材２１の外側の表面に、モルタル１２を、端面仕切り片１６を端部型枠として利用して塗設することによって、モルタル湿式壁３０が形成される。
【００３０】
塗設したモルタル１２の所定の養生期間が経過して、モルタル１２が硬化したら、図２に示すように、易折れ線１８を介して、目地役物１５の他の部分を残したまま、端面仕切り片１６の易折れ線１８よりも外側部分１６ａを折り離すことで、硬化したモルタル１２とサッシ枠１１との取り合い部分２０に、シーリング目地部１４が容易に形成されることになる。
【００３１】
また、形成されたシーリング目地部１４には、図３に示すように、公知の方法によって、シーリング材１３が、好ましくは目地役物１５のスペーサ片１７をボンドブレーカー及びバックアップ材として機能させて、両側面１３ａのみをシーリング目地部１４の内側に接着させた２面接着状態で容易に取り付けられることになる。
【００３２】
ここで、シーリング目地部１４に取り付けられるシーリング材１３としては、例えばシリコーン系、変成シリコーン系、ポリサルファイド系、ウレタン系、ブチレン系、ＳＢＲ系、ブチルゴム系等の、公知の各種のシーリング材を用いることができる。
【００３３】
そして、上述の構成を備える本実施形態のモルタル湿式壁の目地部施工構造１０によれば、硬化したモルタル１２を壊すことなく、塗設されたモルタル１２とサッシ枠１１との取り合い部分２０に、簡易な構成によってシーリング目地部１４を容易に形成することができる。
【００３４】
すなわち、本実施形態によれば、モルタル１２を塗設する作業に先立って、端面仕切り片１６とスペーサ片１７とからなる目地役物１５をサッシ枠１１の側面部１１ａに沿って取り付け、塗設したモルタル１２が硬化した後に、易折れ線１８を介して端面仕切り片１６の易折れ線１８よりも外側部分１６ａを折り離すだけの簡易な構成及び方法によって、モルタル１２とサッシ枠１１との取り合い部分２０にシーリング目地部１４を容易に形成することが可能になると共に、端面仕切り片１６の外側部分１６ａは、易折れ線１８を中心としてモルタル１２とは反対側に折り曲げるだけの操作によって、簡易に且つ容易に折り離すことができるので、硬化したモルタル１２の特に角部分を壊したり傷つけたりすることなく、シーリング目地部１４を容易に形成することが可能になる。
【００３５】
また、本実施形態によれば、モルタル１２が塗設される前の、目地役物１５がサッシ枠１１の側面部１１ａに沿って取り付けられた状態では、スペーサ片１７によって、端面仕切り片１６とサッシ枠１１の側面部１１ａとの間には相当の間隔が保持されるので、モルタル１２を塗設する際にサッシ枠１１を汚す恐れが少なくなり、サッシ廻りの養生を簡易なものとすることが可能になると共に、塗設したモルタル１２が硬化した後に、サッシ廻りを刷毛によって容易に清掃することが可能になる。
【００３６】
なお、本発明は上記実施形態に限定されることなく種々の変更が可能である。例えば、端面仕切り片の先端を、モルタルの塗厚表面の高さ位置に合わせて設置する必要は必ずしも無く、スペーサ片の外側表面を、シーリング材と接着しないか又は接着しずらい樹脂材料によって形成する必要は必ずしも無い。また、目地役物のスペーサ片は、端面仕切り片の高さ方向中間部分からから突出させて設ける必要は必ずしも無く、端面仕切り片の下端から垂直又は略垂直にＬ字形状に突出させて設けることもできる。この場合には、スペーサ片は、底部接着片を兼ねることもできる。さらに、底部接着片は、端面仕切り片からスペーサ片と同じ方向に突出させて設けることもでき、目地役物は、底部接着片を備えていなくても良い。さらにまた、モルタル湿式壁は、木造住宅建築物の外壁である必要は必ずしも無い。窓用のサッシ枠以外の、その他の壁取付け部材と塗設されるモルタルとの取り合い部分に、本発明の目地部施工構造を採用することもできる。
【符号の説明】
【００３７】
１０  目地部施工構造
１１  サッシ枠（壁取付け部材）
１１ａ  側面部
１１ｂ  張出し接合片
１２  モルタル
１３  シーリング材
１４  シーリング目地部
１４ａ  両側面
１５  目地役物
１６  端面仕切り片
１６ａ  易折れ線よりも外側部分
１７  スペーサ片
１８  易折れ線
１９  底部接着片
２０  モルタルとサッシ枠との取り合い部分
２１  壁下地材
３０  モルタル湿式壁
【図１】
0005690630.tif 000002
【図２】
0005690630.tif 000003
【図３】
0005690630.tif 000004
【図４】
0005690630.tif 000005